(57)【特許請求の範囲】
【請求項１】
マンホールの開口部を閉鎖するＦＲＰ製マンホール蓋と同形状の基板上に配置された便器を利用する非常用マンホールトイレであって、
前記マンホールは、底板と、該底板の上面に設置される円筒状筒体と、該円筒状筒体の上端を閉鎖する矩形状蓋板と、から構成され、
前記矩形状蓋板は、前記ＦＲＰ製マンホール蓋で閉鎖される円形開口部を備え、また、該円形開口部の周囲に、テント掛止用の掛止部と、手摺支持部と、誘導灯支持部と、を備えることを特徴とする非常用マンホールトイレ。
【請求項２】
前記円筒状筒体は、上端部周縁に沿って形成された環状溝と下端部周縁に沿って形成された環状突条を備えており、
前記底板は、前記環状突条を嵌め込む同心状の複数の環状溝を備え、かつ、
前記矩形状蓋板は、前記円筒状筒体の環状溝に嵌め込む同心状の複数の環状突条を備えていることを特徴とする請求項１に記載の非常用マンホールトイレ。
【請求項３】
前記円筒状筒体は、排気筒を備えることを特徴とする請求項１又は２に記載の非常用マンホールトイレ。
【発明の詳細な説明】
【技術分野】
【０００１】
本発明は、天災等により災害が起きた、非常時に使用できるマンホール型トイレ（本明細書において「非常用マンホールトイレ」と称する）に関する。
【背景技術】
【０００２】
特許文献１には、非常時の仮設トイレの一例が開示されている。この仮設トイレは、非常時に、自宅、公営等の常設トイレが使用できなくなったとき、既設の下水道用マンホール（以下「既設マンホール」と略す）上に洋式簡易便器を配置して仮設される。
【先行技術文献】
【特許文献】
【０００３】
【特許文献１】特許４０２５９００号公報
【発明の概要】
【発明が解決しようとする課題】
【０００４】
しかし、既設マンホールは、通常、自動車その他の交通手段が走行する道の地下に形成されているため、その上に仮設トイレを設置した場合、仮設トイレが交通の妨げとなり、安全性が確保できない場合が発生する。
【０００５】
また、天災は一過性のものばかりでなく連続、断続して発生する場合も多々あり、仮設トイレといえども一定強度、設置安定性があることが望まれる。また、トイレの内部空間の高さが低すぎたり狭すぎたり或いは当該内部空間に臭気がこもると、使用者が不快になる。さらにまた、天災が夜間にわたり続いたり、天災による被害復旧まで時間がかかり、非常事態が解除されない場合もあり、日没後の夜間でも仮設トイレの位置を使用者が容易に認識できることが望まれる。
【０００６】
本発明は、以上の点を鑑み、非常時に、交通の妨げにならない地点にマンホールを埋設しておき、非常時その上に便器、その他の必要な部材を配置・固着して成る非常用マンホールトイレを提供することを目的とする。また、本発明は、使用者が快適に使用できるユーザフレンドリな非常用マンホールトイレを提供することをさらなる目的とする。
【課題を解決するための手段】
【０００７】
（発明の態様）
以下の（１）、（２）及び（４）項は、請求項１から３に対応する本発明の態様を示す。
【０００８】
（１）マンホールの開口部を閉鎖するＦＲＰ製マンホール蓋と同形状の基板上に配置された便器を利用する非常用マンホールトイレであって、前記マンホールは、底板と、該底板の上面に設置される円筒状筒体と、該円筒状筒体の上端を閉鎖する矩形状蓋板と、から構成され、前記矩形状蓋板は、前記ＦＲＰ製マンホール蓋で閉鎖される円形開口部を備え、また、該円形開口部の周囲に、テント掛止用の掛止部と、手摺支持部と、誘導灯支持部と、を備えることを特徴とする非常用マンホールトイレ。
【０００９】
（１）項の非常用マンホールトイレによれば、自動車等の交通手段が走行する道路以外の安全な場所に、底板のあるマンホールを地下に埋設しておき、常設トイレを使用できなくなった非常時に、マンホール上を閉鎖してあったＦＲＰ製マンホール蓋を取り外して便器を配置できる。また、好ましくは縦長のドーム型テントで便器の周囲を一定空間をもって囲むことで、使用者のプライベートを守りかつ雨風をしのぎ、快適な内部空間を提供する。マンホールを構成する底板、円筒状筒体、矩形状蓋板は、強度の優れたコンクリート製とする。便器は洋式、和式は問わないが、快適面から洋式のものが好ましい。またコスト面から構造上簡易なものが望ましい。マンホール蓋を、下水道用のもののように鋳鉄製とせずにＦＲＰ製とするのは、一定強度を保ちながら軽量化でき、マンホール蓋の取り外し・閉鎖を容易にできるためである。ＦＲＰは一定の可撓性を備えているため、マンホール開口にスナップ嵌めも可能とする。
【００１０】
また、（１）項の非常用マンホールトイレは手摺支持部を備えているため、この手摺支持部を利用して便器の両脇に手摺を設けることができ、使用者が便器に座るときや便器から立つときに掴むことができる手摺を備えた、ユーザフレンドリな非常用マンホールトイレを提供できる。手摺は、その端部が矩形状蓋板にボルトによって螺着されて固定されるものが好ましい。なお、トイレ不使用時には、手摺は取り外して別途保管しておくことが望ましい。
【００１１】
また、（１）項の非常用マンホールトイレは、誘導灯支持部を備えているため、好適には、この誘導灯支持部にソーラー誘導灯を支持することで、非常時には、非常用マンホールトイレを設置する場所を容易に確認することができる。また、非常用マンホールトイレを設置した後は、使用者は、日没後、懐中電灯を持たなくても非常用マンホールトイレを認識でき、ソーラー誘導灯の光を目印に非常用マンホールトイレに容易に辿りつくことができる。
【００１２】
（２）前記円筒状筒体は、上端部周縁に沿って形成された環状溝と下端部周縁に沿って形成された環状突条を備えており、前記底板は、前記環状突条を嵌め込む同心状の複数の環状溝を備え、かつ、前記矩形状蓋板は、前記円筒状筒体の環状溝に嵌め込む同心状の複数の環状突条を備えていることを特徴とする（１）項に記載の非常用マンホールトイレ。
【００１３】
（２）項の非常用マンホールトイレによれば、上記のように、複数の環状溝と環状突条を備えているため、例えば、使用者の想定使用頻度、作業性等に応じ、マンホール径を９００ｍｍ径と１２００ｍｍ径の２種類のいずれかに切り替えることを可能とする。
【００１４】
（３）前記円筒状筒体は、複数個の円筒状小筒体を積み重ねて構成されることを特徴とする（１）又は（２）項に記載の非常用マンホールトイレ。
【００１５】
本項によれば、（２）項の非常用マンホールトイレの設置場所に応じて、積み重ねる円筒状小筒体の数を調整して、円筒状筒体の中心軸方向の高さ自由に変えることができる。
本項によれば、円筒状筒体の高さを自在に変えることができる。また、本項によれば、円筒状筒体を水平分割し小分けした複数個の円筒状小筒体で構成することができるため、製造時、運搬時等のハンドリングを容易にすることができる。さらに、円筒状筒体の水平分割した円筒状小筒体が破損又は激しく汚れたとき等には、その部分のみを交換することができる。
【００１６】
（４）前記円筒状筒体は、排気筒を備えることを特徴とする（１）〜（３）項のいずれかに記載の非常用マンホールトイレ。
（４）項の非常用マンホールトイレは、排気筒を備えているため、該排気筒を、マンホール内から地上の大気に通じるように配管することで、マンホール内の臭気を大気に放出でき、非常用マンホールトイレの内部空間のみに臭気が充満することがないようにすることができる。さらに、排気筒の、大気側開放端の近くの外周面に螺刻部を設け、この螺刻部に螺合できる螺刻部を内周面に備えたキャップ部材を準備し、非常用マンホールトイレの不使用時には、排気筒からキャップ部材を取り外して清掃することができ、また、非常用マンホールトイレの使用時には、排気筒の開放端にこのキャップ部材を螺合、螺着して密閉するようにすることができる。
かかるキャップ部材付きの排気筒は、非常事態が解除されたトイレ不使用時に、便器やテントシート等の地上構造体を撤去した後にも、キャップ部材を含む部分を地面から突出させておくことで非常用マンホールトイレの目印にもなる。
【００１７】
（５）非常用マンホールトイレの不使用時に、マンホールの開口部をＦＲＰ製マンホール蓋で閉鎖し、マンホールの矩形状蓋板とＦＲＰ製マンホール蓋の上面を他の用途に利用することを特徴とする（１）〜（４）項のいずれかに記載の非常用マンホールトイレ。
本項で、「非常用マンホールトイレの不使用時」とは、例えば天災が起こる前や天災発生後にライフラインが復旧し正常に各家庭若しくは公営のトイレが使用できるようになった場合を指す。係る場合にはもはやドーム型テントや非常用洋式便器等は不要であり、これらの設備を撤去し、マンホールの開口部をＦＲＰ製マンホール蓋で閉鎖して、地上面と同一平面を形成する。このようにすることで、非常用マンホールトイレ設置場所であったところに、例えばプランターを配置し花壇としてその場所を有効利用することができる。
この際、（１）項のソーラ誘導灯や（３）項の排気筒を設けることにより、ソーラ誘導等や排気筒のキャップ部材が地上に飛び出ているため、非常時に他の花壇とは異なることがすぐに識別でき、そこが非常用マンホールトイレの設置箇所であることがすぐ分かるようにする衆知させることができる。設置作業者も、非常用マンホールトイレの上に配置されていたプランターを撤去し、（１）〜（４）項の非常用マンホールトイレを速やかに設置することができる。
【発明の効果】
【００１８】
本発明によれば、交通を妨害しない安全な場所に埋設された底板付きマンホールの上に便器を設置した非常用マンホールトイレを提供することができる。また、本発明によれば、非常時に簡単に設置することができ、また、使用者が日没後もその場所を容易に認知できるユーザフレンドリな非常用マンホールトイレを提供することができる。
【図面の簡単な説明】
【００１９】
【図１】本発明の好適実施形態に係る非常用マンホールトイレの垂直断面図を示す。
【図２】本発明の好適実施形態に係る非常用マンホールトイレの地面に沿った水平断面図であり、（ａ）はトイレ使用時の円形基板付き便器を含むものを示し、（ｂ）はトイレ不使用時に、便器の代わりにマンホール蓋でマンホールの開口部を閉鎖したものを示し、（ｃ）は同非常用マンホールトイレの脇に設置される手摺一つの斜視図である。
【図３】本発明の好適実施形態に係る非常用マンホールトイレの立体斜視図を示す。
【図４】本発明の好適実施形態に係る非常用マンホールトイレが不使用時に当該設置場所を有効利用するときの実施例を図示した立体斜視図を示す。
【発明を実施するための形態】
【００２０】
＜非常用マンホールトイレの組立て・設定＞
以下、設定完了までの非常用マンホールトイレ１の好適実施形態を、図１、２を参照し、地面ＧＬを境にして存在する地下構造体１Ｕと地上構造体１Ａを分けて説明する。
図１は、地下構造体１Ｕと地上構造体１Ａとからなる非常用マンホールトイレ１の垂直断面を概略的に示す。
図１から分かるように、地下構造体１Ｕは、地面ＧＬの下に埋設されるマンホール１０の構造体であり、コンクリート製の円筒状筒体１０Ｃと、コンクリート製の角蓋（矩形状蓋板）１１と、ＦＲＰ製のマンホール蓋１２（図２（ｂ）参照）と、コンクリート製の底板１３を備えている。かかる地下構造体１Ｕは、図４を参照して後述するが例えば公園の柵や塀の近辺のような、交通の妨げとならない所に予め埋設しておく。
なお、後述するが、マンホール蓋１２は円形基板１８付き洋式簡易便器１７（図２（ｂ））と二者択一的に使用される。
【００２１】
本実施形態では、円筒状筒体１０Ｃ、角蓋１１及び底板１３をコンクリート製にしている。これは、硬化前のコンクリートは型に沿って造形容易であり、円筒状筒体１０Ｃ、開口１９付の角蓋１１及び円形板状の底板１３の構造を形成し易しいためである。また、ステップ１０Ｌ、手摺２２Ｒ及び２２Ｌ、ドーム型テント２３のテントシート２３´´の掛止部となるフックＦ１〜Ｆ４は、コンクリート成形と同時に、または、コンクリート成形後に取り付けられる。
【００２２】
さらに、円筒状筒体１０Ｃの側壁面に対して略垂直に略Ｌ字状の排気筒１０Ｐが固着されている。さらに、排気筒１０Ｐの取り付け態様を説明すると、排気筒１０Ｐの一端側開口端部１０Ｐ１は地面ＧＬの下にあり、かつ、円筒状筒体１０Ｃの円筒側壁１０Ｗの上部に略垂直に貫通するように配置され、また、他端側開口端部１０Ｐ２は地面ＧＬの上に突出するように配置されている。また、他端側開口端部１０Ｐ２に螺着されるキャップ部材１０Ｐ３が設けられている。このキャップ部材１０Ｐ３を、他端側開口端部１０Ｐ２から取り外すと、キャップ部材１０Ｐ３を清掃することができる一方、キャップ部材Ｐ３の他端側開口端部１０Ｐ２に螺着すると、雨、砂利等のマンホール１０への進入や逆に臭気の外部漏れを防ぐことができる。
【００２３】
円筒状筒体１０Ｃの内径はマンホール径に応じ決定される。例えば、円筒状筒体１０Ｃの内径は、９００ｍｍ径のマンホールまたは１２００ｍｍ径のマンホールとすることが好ましい。また、円筒状筒体１０Ｃの高さは、約２３００ｍｍから２５００ｍｍが好ましい。非常用マンホールトイレ１は、基本的に非常時のみのものであり、設置作業性、想定使用頻度、材料コスト等の観点から、無用に大きくしたり深くする必要はなく、清掃や落下物を拾う等の目的で作業者が入り易い程度の空間があれば十分である。
また、円筒状筒体１０Ｃは、設置場所に応じて、複数個の円筒状小筒体を積み重ねて構成される。例えば、図１に示されるように、参照符号１０Ｃ１及び１０Ｃ２に示す水平線で切り取られる対向面を境目にして３分割することができる。この際、円筒状筒体１０Ｃは、参照符号１０Ｃ１及び１０Ｃ２に示す箇所の対向面が、一方の対向面にその周縁に沿って環状溝が形成されており、かつ、他方の対向面にその周縁に沿って上記環状溝と嵌め込み可能な環状突条が形成される。そして、非常用マンホールトイレ１の設置時に、円筒状筒体１０Ｃを構成する複数個の円筒状小筒体を積み重ねて、各円筒状小筒体の各環状溝と各環状突状とを嵌め込んで円筒状筒体１０Ｃの側壁を作製することができる。
【００２４】
さらに、円筒状筒体１０Ｃには、その深さ方向に作業者が安全に昇降できる複数のステップ１０Ｌが所定間隔で設けられている。ステップ１０Ｌは、好適には、円筒状筒体１０Ｃのコンクリート壁面に対して略垂直に、コ字状に折り曲げ加工されたステンレス製パイプ部材の二つの端部を差し込みコンクリートの硬化で固定して、作業者が乗っても外れないように固着・形成する。
【００２５】
また、円筒状筒体１０Ｃの上端面にはその周縁に沿って環状溝１６´を、また下端面にはその周縁に沿って環状突条１６を設けておく。そして、角蓋１１には環状突条１５−１を、底板１３には環状溝１３−１を設けておく。
このとき、環状溝１６´に環状突条１５−１が嵌合し、かつ、環状突条１６が環状溝１３−１に嵌合するように形成されており、これにより、円筒状筒体１０Ｃ、角蓋１１、底板１３が位置決めされる。
なお、図１から分かるように、底板１３に、環状溝１３−１より径が小さい環状溝１３−２が、また角蓋１１に、環状突条１５−１より径が小さい環状突条１５−２が形成されている。このように同心状に複数の環状溝及び環状突条を角蓋１１、底板１３に形成し、かつ、円筒状筒体１０Ｃ側にも対応した径の環状突条及び環状溝（不図示）を形成しておくことにより、要望に応じてマンホール径を切り替えることができる。
【００２６】
角蓋１１について、図１、２を参照しながら説明する。
角蓋１１は、四隅が面取りされている一定厚のコンクリート製の水平断面が略正方形の板状部材であり、その中央部には、洋式簡易便器１７の下に固着されている円形基板１８のものと略同一の外形面を備え、かつＦＲＰ製マンホール蓋１２で閉鎖できる開口１９が形成されている。より詳細には、角蓋１１は、開口１９を取り囲む周囲部１１Ｅの垂直断面は略Ｌ字状に形成されている。この略Ｌ字状の周囲部１１Ｅの内周部１１Ｅ１は、外径が略同一寸法であるマンホール蓋１２又は円形基板１８を、それぞれ、トイレの不使用時又は使用時に、交換、嵌合可能であり、かつ、マンホール蓋１２又は円形基板１８の落下防止のために環状段部２０が形成されている。そして、洋式簡易便器１７の底部には、角蓋１１の段部２０にスナップ嵌めして閉鎖できる断面Ｔ字状の突起部１８Ｐが垂直かつ環状に形成されている。
【００２７】
さらに、角蓋１１には、手摺２２Ｌ、２２Ｒが洋式簡易便器１７の両脇に設置されている。手摺２２Ｌ、２２Ｒは、使用者が、楽に洋式簡易便器１７から立ち又はそこに座る際に必要な補助手段である。よって、手摺２２Ｌ、２２Ｒを、使用者が掴み易い高さに設定する。また、手摺２２Ｌ、２２Ｒは、例えばステンレス製パイプを略コの字状に折り曲げ加工したものでよく、その径は使用者が掴みやすい径であることが好ましい。
また、手摺２２Ｌ、２２Ｒが角蓋１１に固定されることになる両下端には、図２（ｃ）に示されるように、所定のボルト（不図示）が貫通できる貫通孔２２Ｈ付きの矩形板状の取付けプレート２２Ｌ´、２２Ｒ´の手摺２２Ｌ、２２Ｒの長尺方向に対して直角方向になるように溶接されている。また、図２（ｂ）に示されるように、角蓋１１には、取付けプレート２２Ｌ´、２２Ｒ´を角蓋１１に設置する箇所に対応させて貫通孔２２Ｈと対応する箇所に螺刻穴４０〜４３、４０´〜４３´が形成されている。
そして、取付けプレート２２Ｌ´、２２Ｒ´を角蓋１１上で位置合わせし、螺刻穴４０〜４３、４０´〜４３´にボルトを貫通し、螺刻穴４０〜４３、４０´〜４３´にボルトを螺合して、手摺２２Ｌ、２２Ｒを角蓋１１に取り付けることができる。
【００２８】
角蓋１１には、特に図２から分かるように、角蓋１１の四隅よりやや内側かつ対角線上の位置に、ドーム型テント２３のテントシート２３´´の下端部を、角蓋１１に掛止可能な掛止部として機能する四つの断面Ｕ字状のフックＦ１〜Ｆ４が設けられている。
これらのフックＦ１〜Ｆ４は、角蓋１１の端部周辺部の好適箇所に凹部ｈ１〜ｈ４を設け、さらにフックＦ１〜Ｆ４の頂部が地面ＧＬから突出しないように凹部ｈ１〜ｈ４に埋設させて設けられている。
また、角蓋１１には、非常用マンホールトイレ１の設置位置を容易に認識できる位置に、ソーラー誘導灯３０用の誘導灯支持部３１の取付部３２が設けられている。
【００２９】
マンホール蓋１２（特に図２（ｂ）参照）は、とりわけ長期に亘り非常用マンホールトイレ１を使用しないときは、角蓋１１の開口１９を閉鎖しておく蓋である。このマンホール蓋１２には、再び非常事態が発生したときの取り外しの便宜のため、その中央部に把持用の取っ手（不図示）を設けておくようにすることが好ましい。
【００３０】
次に、図１、図２を参照しながら、地上構造体１Ａの、洋式簡易便器１７について説明する。
当該トイレ使用開始前に、マンホール蓋１２を角蓋１１の開口１９から取り外し、この開口１９に円形基板１８付きの洋式簡易便器１７を設置する（図２（ａ）参照）。このとき、角蓋１１の開口１９（図１参照）の中心と、洋式簡易便器１７の開口１７Ｈ（図１参照）の中心とが略同一線上にあるように、かつ、２本の手摺２２Ｌ、２２Ｒのほぼ中間に、マンホール蓋１２と略同一径の開口１７Ｈが中央にある円形基板１８を備えた洋式簡易便器１７を設置する。洋式簡易便器１７は、好適には軽量かつ比較的頑強な樹脂製の市販の洋式簡易便器等を用いればよい。もちろん、当業者によって適宜変更が可能であり、洋式の代わりに和式のものを使用してもよい。
【００３１】
次に、図１、図２（ａ）及び図３を適宜参照しながら、地上構造体１Ａの外界とのパーティッション、雨風よけ等として機能する、ドーム型テント２３について以下説明する。
図３を参照して、ドーム型テント２３は、市販のキャンプ用のドーム型テントを縦長にした構造のテントであり、可撓性であり曲げても元に形状が戻る四本のテント用ポール２３´とテントシート２３´´とからなる。４本のテント用ポール２３´のそれぞれは、テントシート２３´´の内面の四箇所に略逆放物線状かつ袋状に形成されているパイプ部（不図示）に通され、略逆放物線状に曲げられて、ドーム型テント２３の４つの略逆放物線状の四方面に存在する壁部分（図３で参照符号２３´´が指す部分）を形成する。
【００３２】
テントシート２３´´のうち非常用マンホールトイレ１の正面部となる部分には、図３に示されるようにファスナー２５が設けられており、非常用マンホールトイレ１の正面部が使用者の使用時、退室時に開閉自由になっている。また、図３に示されているように、ファスナー２５を上端まで上げて固定した状態で、テントシート２３´´のうちファスナー２５を含む端部分を把持しながら折りたたむか丸めかつ可撓性ポール２３´の適当な位置に締結できる左右にある２対の紐２６で結び開状態を固定できるようになっている。
【００３３】
以上のように組み立てられるドーム型テント２３を角蓋１１に載置し、テントシート２３´´を掛止用ロープＮ１〜Ｎ４を用いてフックＦ１〜Ｆ４に掛止して角蓋１１に固定する。掛止用ロープＮ１〜Ｎ４は、カラビナ状のもの（不図示）でもよい。
【００３４】
以上の本実施形態によれば、既設マンホールを用いることなく、非常用マンホールトイレを交通の妨げのならない安全な場所に仮設できる。また、非常用マンホールトイレ１は、コンクリート製であり頑強であるため仮設ではあるが一定長期に亘り安全に使用することができる。
【００３５】
＜非常用マンホールトイレの実施形態＞
図３は、上記の方法で組み立てられた非常用マンホールトイレ１の実施例を示す立体斜視図である。図３を参照しながら、仮設が完了した状態の非常用マンホールトイレ１について説明する。既述の説明と重複する内容は適宜省略する。
【００３６】
非常用マンホールトイレ１は、地上構造体１Ａに、テントシート２３の内部に洋式簡易便器１７、その両脇に手摺２２Ｌ、２２Ｒがあり、さらに、洋式簡易便器１７及び手摺２２Ｌ、２２Ｒを覆うテントシート２３で囲まれており、実質上公園の簡易公衆トイレような外観を呈し、同様に使用し易い。
地面から排気筒１０Ｐの一部とキャップ部材１０Ｐ３が突出しており、また、角蓋１１の左端上面部のやや前方寄りに設けた誘導灯支持部３１上にソーラー誘導灯３０が設置されている。
【００３７】
地下構造体１Ｕには、コンクリート製の底部１３付きマンホール１０の円筒状筒体１０Ｃの内壁に、ステップ１０Ｌが設けられ、かつ、排気筒の一端側開口端部１０Ｐ１が貫通して設けられている。
係る非常用マンホールトイレ１は、下部構造体１Ｕがコンクリート製のため、非常時において天災が連続的、断続的に起こる場合にも容易には破損しない。
【００３８】
また、非常用マンホールトイレ１は排気筒１０Ｐを備えているため、キャップ部材１０Ｐ３が汚された場合には、キャップ部材１０Ｐ３を取り外すことで清掃することができ、また、非常用マンホールトイレ使用時には、テントシート２３で囲まれた内部空間への臭気を大気中に放出することができる。また、非常用マンホールトイレ１はソーラー誘導灯３０を備えており、非常用マンホールトイレ１を設置する場所を容易に確認することができ、また、日没後、懐中電灯がなくても、使用者は容易に非常用マンホールトイレ１まで誘導される。また、図３で示されるように、ソーラー誘導灯３０が正面の近くにあるため、非常用マンホールトイレ１の入り口が容易に使用者に認識される。
非常事態が長期化するときは、洋式簡易便器１７の開口１７Ｈからバキュームカーのホースを投入して衛生上または快適使用の観点からある程度定期的に内部の物を排出することが望ましい。
【００３９】
一方、非常事態が終了し、特にライフラインが復旧したときには、もはや使用者は平常時のトイレを使用することになる。よって、非常用マンホールトイレ１のうち、図１を用いて説明した地上構造体１Ａに係る設備は撤去されることが望ましい。
ただし、平常時に戻っても、非常用マンホールトイレ１の位置を衆知させておくことは必要である。
そこで、図４に示すように、ソーラ誘導灯３０及び誘導支持部３１、並びに、排気筒１０Ｐの一部及びキャップ部１０Ｐ３は地上面から突出させた状態にしておく。
そして、図２（ｂ）に示されるように角蓋１１にＦＲＰ製マンホール蓋１２を嵌め込んでおき、誤って人間、動物、物等が落下しないようにしておく。
【００４０】
さらに、図４に示されるように、例えば４個で一組のプランター３３をＦＲＰ製マンホール蓋１２が嵌合された角蓋１１の上に載置し、プランター３３に花を植えて花壇を形成することが好ましい。
この態様によれば、この非常マンホールトイレ１の撤去後の設置場所を有効利用することができ、かつ、ＦＲＰ製マンホール蓋１２や角蓋１１の部分を覆い隠すことができ、特に設置場所が公園のときは、平常時の、公園の美化に寄与しうる。
【００４１】
尚、本発明は、上記実施例に限定されるものではなく、本発明の要旨を逸脱しない範囲内において種々変更を加え得ることは勿論である。例えば、上記の実施形態において、簡易洋式便器１７の近くにトイレットペーパを常備させることができる。この際、手摺２２Ｒ、２２Ｌにトイレットペーパの芯を固定できるようにしてもよい。
また、ソーラー誘導灯３０は、例えば、非常用マンホールトイレ１の頂部にも設置してよく、１つではなく例えばソーラー誘導灯３０を４つ準備し四隅に設けるようにしてもよい。このようにすれば多方面から非常用マンホールトイレ１を認識できるようになる。
また、テントシート２３´´の生地は、汎用キャンプ用テントの生地を用いればよいが、例えば、テフロン（登録商標）やシンサレート（登録商標）のような撥水性と通気性を兼ね備えた丈夫な生地を用いることができる。
【符号の説明】
【００４２】
１：非常用マンホールトイレ、１０：マンホール、１０Ｃ：円筒状筒体、１１：矩形状蓋板、１２：ＦＲＰ製マンホール蓋、１３：底板、１７：便器、１８：基板、１９：円形開口部、Ｆ１、Ｆ２、Ｆ３、Ｆ４：掛止部（フック）、２２Ｒ、２２Ｌ：手摺、３１：誘導灯支持部。
【図１】
0005453659.tif 000002
【図２】
0005453659.tif 000003
【図３】
0005453659.tif 000004
【図４】
0005453659.tif 000005